【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
画像形成部から搬送されるシートを含むシート束を処理するシート処理装置であって、
第１凸部と第２凸部とを備えた第１の部分、及び、第１凹部と第２凹部とを備えた第２の部分を有し、前記第１凸部と前記第１凹部とでシート束を挟み、且つ、前記第２凸部と前記第２凹部とでシート束を挟むことでシート束を綴じる綴じ手段と、
前記第１凸部と前記第２凸部との間に配置され、綴じられたシート束を前記第１の部分から離れるように押圧することで、綴じられたシート束を前記第１凸部から剥がす剥がし手段と、を備えたことを特徴とするシート処理装置。
【請求項２】
前記剥がし手段は、前記第１の部分と前記第２の部分とによるシート束の挟持の解放に伴って、綴じられたシート束を前記第１凸部及び前記第２凸部から剥がすことを特徴とする、請求項１に記載のシート処理装置。
【請求項３】
前記剥がし手段は、前記第１凸部及び前記第１凹部並びに前記第２凸部及び前記第２凹部が互いに離れた状態で、シート束の厚さ方向において前記第１凸部の先端および前記第２凸部の先端よりも前記第２の部分側に突出するように移動自在であることを特徴とする、請求項１又は２に記載のシート処理装置。
【請求項４】
前記剥がし手段は、綴じられるシート束に押されて弾性変形する弾性体を含み、前記第１の部分と前記第２の部分とが離れるときの前記弾性体の復元力によって前記第１凸部からシート束を剥がすことを特徴とする、請求項１乃至３の何れか１項に記載のシート処理装置。
【請求項５】
前記弾性体は板バネであることを特徴とする、請求項４に記載のシート処理装置。
【請求項６】
前記弾性体は線バネであることを特徴とする、請求項４に記載のシート処理装置。
【請求項７】
前記第１凸部の表面及び前記第２凸部の表面を、いずれも、前記第１凹部の表面及び前記第２凹部の表面に比べて粗くしたことを特徴とする、請求項１乃至６の何れか１項に記載のシート処理装置。
【請求項８】
前記第１の部分と前記第２の部分とでシート束を挟んでいるときの位置から、前記第１の部分と前記第２の部分とが離れている状態において前記剥がし手段を前記第２の部分に近づく方向へ向かって移動させる駆動部を有することを特徴とする、請求項１乃至７の何れか１項に記載のシート処理装置。
【請求項９】
前記第１の部分は、前記第１凸部及び前記第２凸部が含まれる複数の凹凸を備え、
前記第２の部分は、前記第１凹部及び前記第２凹部が含まれる複数の凹凸を備えることを特徴とする、請求項１乃至８の何れか１項に記載のシート処理装置。
【請求項１０】
画像形成部から搬送されたシートを含むシート束を処理するシート処理装置であって、
複数の凸部を備えた第１の部分、及び、複数の凹部を備えた第２の部分を含み、前記複数の凸部と前記複数の凹部とでシート束を挟むことによってシート束を綴じる綴じ手段と、
前記綴じ手段によって綴じられたシート束を、前記複数の凸部の少なくとも１つから剥がれるように前記第１の部分から離れる方向に押圧可能な剥がし手段と、を備え、
前記剥がし手段は、
シート束の厚さ方向から見て、第１端と、前記第１端に垂直な第２端と、前記第１端に垂直且つ前記第１端によって前記第２端に接続された第３端と、を含み、
シート束の厚さ方向から見て、前記第１端、前記第２端、及び前記第３端が前記複数の凸部を囲うように、且つ、前記複数の凸部に対向するように配置されることを特徴とするシート処理装置。
【請求項１１】
前記複数の凸部が形成された矩形領域の１辺に前記第１端は対向していて、前記第１端の長さは、前記矩形領域の前記１辺の長さよりも長いことを特徴とする、請求項１０に記載のシート処理装置。
【請求項１２】
前記剥がし手段は、前記第１端、前記第２端、及び前記第３端を有する板状の部材であることを特徴とする、請求項１０又は１１に記載のシート処理装置。
【請求項１３】
前記第１の部分と前記第２の部分の少なくとも一方を、前記第１の部分と前記第２の部分とでシート束を挟持する位置から挟持を解放する位置に移動させる移動手段を有することを特徴とする、請求項１乃至１２の何れか１項に記載のシート処理装置。
【請求項１４】
前記剥がし手段は、綴じられたシート束の表面と接する接触部を含んでいて、前記接触部は、前記第１の部分の凸部からシート束が剥がれるように、前記シート束をシート束の厚さ方向において前記第１の部分から離れる方向に押圧することを特徴とする、請求項１乃至１３の何れか１項に記載のシート処理装置。
【請求項１５】
前記剥がし手段は、前記第１の部分と前記剥がし手段との相対的な移動によって、前記第１の部分からシート束が離れるようにシート束を押圧することを特徴とする、請求項１乃至１４の何れか１項に記載のシート処理装置。
【請求項１６】
前記第１の部分は固定されていて、
前記剥がし手段が移動することによって、前記第１の部分からシート束が離れるように前記剥がし手段がシート束を押圧することを特徴とする、請求項１５に記載のシート処理装置。
【請求項１７】
前記第２の部分は固定されていて、
前記第１の部分が、固定された前記第２の部分に対して移動することを特徴とする、請求項１乃至１５の何れか１項に記載のシート処理装置。
【請求項１８】
綴じられたシート束を前記第２の部分の凹部から剥がすように、綴じられたシート束を前記第２の部分から離れるように前記第１の部分へ向けて押圧する第２の剥がし手段を有することを特徴とする、請求項１乃至１７の何れか１項に記載のシート処理装置。
【請求項１９】
前記剥がし手段は、前記第１の部分に配置されることを特徴とする、請求項１乃至１８の何れか１項に記載のシート処理装置。
【請求項２０】
第１の部分と第２の部分とを含み、前記第１の部分と前記第２の部分とのニップ部においてシート束を挟持して、厚さ方向でシート束を変形させてシート束を綴じる綴じ手段と、
綴じられたシート束を前記第２の部分の方へ押圧して、綴じられたシート束を前記第１の部分から剥がす第１の剥がし手段と、
綴じられたシート束を前記第１の部分の方へ押圧して、綴じられたシート束を前記第２の部分から剥がす第２の剥がし手段と、を備え、
前記第１の剥がし手段と前記第２の剥がし手段の少なくとも一方は、前記ニップ部内に配置されることを特徴とするシート処理装置。 
【請求項２１】
前記第１の部分と前記第２の部分の夫々は、シート束と接して厚さ方向で変形させる凹凸部を備え、
前記第１の剥がし手段は、前記第１の部分と前記第２の部分とが離れたときにはシート束の厚さ方向において前記第１の部分の凹凸部の先端よりも突出することを特徴とする、請求項２０に記載のシート処理装置。
【請求項２２】
前記第１の部分と前記第２の部分の夫々は、シート束と接して厚さ方向で変形させる複数の変形面を備え、
前記第１の剥がし手段は、前記第１の部分に配置され、前記第１の部分が備える複数の変形面の間に設けられることを特徴とする、請求項２０又は２１に記載のシート処理装置。
【請求項２３】
前記第１の部分は、第１凸部と第２凸部とを備え
前記第２の部分は、第１凹部と第２凹部とを備え、
前記綴じ手段は、前記第１凸部と前記第２凹部とでシート束を挟み且つ前記第２凸部と前記第２凹部とで前記シート束を挟むことによってシート束を綴じることを特徴とする、請求項２０乃至２２の何れか１項に記載のシート処理装置。
【請求項２４】
シートに画像を形成する画像形成部と、
前記画像形成部によって画像が形成されたシートを処理する請求項１乃至２３の何れか１項に記載のシート処理装置と、を備えることを特徴とする画像形成装置。
【手続補正２】
【補正対象書類名】明細書
【補正対象項目名】０００９
【補正方法】変更
【補正の内容】
【０００９】
本発明の一態様は、画像形成部から搬送されるシートを含むシート束を処理するシート処理装置であって、第１凸部と第２凸部とを備えた第１の部分、及び、第１凹部と第２凹部とを備えた第２の部分を有し、前記第１凸部と前記第１凹部とでシート束を挟み、且つ、前記第２凸部と前記第２凹部とでシート束を挟むことでシート束を綴じる綴じ手段と、前記第１凸部と前記第２凸部との間に配置され、綴じられたシート束を前記第１の部分から離れるように押圧することで、綴じられたシート束を前記第１凸部から剥がす剥がし手段と、を備えたことを特徴とすることを特徴とするものである。
また、本発明の他の態様は、画像形成部から搬送されたシートを含むシート束を処理するシート処理装置であって、複数の凸部を備えた第１の部分、及び、複数の凹部を備えた第２の部分を含み、前記複数の凸部と前記複数の凹部とでシート束を挟むことによってシート束を綴じる綴じ手段と、前記綴じ手段によって綴じられたシート束を、前記複数の凸部の少なくとも１つから剥がれるように前記第１の部分から離れる方向に押圧可能な剥がし手段と、を備え、前記剥がし手段は、シート束の厚さ方向から見て、第１端と、前記第１端に垂直な第２端と、前記第１端に垂直且つ前記第１端によって前記第２端に接続された第３端と、を含み、シート束の厚さ方向から見て、前記第１端、前記第２端、及び前記第３端が前記複数の凸部を囲うように、且つ、前記複数の凸部に対向するように配置されることを特徴とするものである。
また、本発明のさらに他の態様に係るシート処理装置は、第１の部分と第２の部分とを含み、前記第１の部分と前記第２の部分とのニップ部においてシート束を挟持して、厚さ方向でシート束を変形させてシート束を綴じる綴じ手段と、綴じられたシート束を前記第２の部分の方へ押圧して、綴じられたシート束を前記第１の部分から剥がす第１の剥がし手段と、綴じられたシート束を前記第１の部分の方へ押圧して、綴じられたシート束を前記第２の部分から剥がす第２の剥がし手段と、を備え、前記第１の剥がし手段と前記第２の剥がし手段の少なくとも一方は、前記ニップ部内に配置されることを特徴とするものである。